(57)【特許請求の範囲】
【請求項１】
厚み方向に対向する一対の周壁部と、該一対の周壁部の厚み方向で対向する端部間に固着されて側面を塞ぐ蛇腹状の側壁部を対向して一対に設けて、開口時に上部側が大きく扇状に拡大する収納部を有する硬貨用収納部構造において、
上記収納部を横幅方向の中途位置で仕切って硬貨用収納部を形成する蛇腹状の仕切壁を設け、
該仕切壁が、下部の折曲げ部分相互を一体的に固着して強度を高め、硬貨用収納部の底部との間に大きな隙間が生じないように形成されると共に、該仕切壁が折り目部分と重ならないように、折り目部分を除いた大きさの分割された芯材を内蔵して補強されてなることを特徴とする硬貨用収納部構造。
【請求項２】
仕切壁が、側壁部より強度を有すると共に、側壁部より多く折り返された蛇腹状に形成されていることを特徴とする請求項１に記載の硬貨用収納部構造。
【発明の詳細な説明】
【０００１】
【発明の属する技術分野】
本発明は、複数に仕切られた硬貨用収納部が型くずれせず、仕分けされた硬貨を確実に取り出すことができる硬貨用収納部構造に関する。
【０００２】
【従来の技術】
従来、財布に設けられた硬貨用収納部は、厚み方向に対向する一対の周壁部と、該一対の周壁部の厚み方向で対向する端部間に固着されて側面を塞ぐ蛇腹状の側壁部を対向して一対に設けて、開口時に上部側が大きく扇状に拡大して硬貨を取出しやすくしている。
このような硬貨用収納部では、横幅方向の中途位置に硬貨用収納部を仕切る蛇腹状の仕切壁を設けて左右に二分して収納部を増やし、硬貨を種類別（金額別）に分類して収納する構造が知られている。
そして、従来の仕切壁は、側壁部と同様に蛇腹状のマチ生地が用いられているため、収納部から硬貨を取り出す際に仕切壁が柔らかく、且つ仕切壁の下端は収納部の底部に固定することができないため、大きく撓み底部との間に隙間が生じて硬貨が隣接する収納部に入り込んで混在する虞れがあった。
特に、視覚障害者においては、例えば１０円と１００円とでは手触りだけでは識別が困難なために、同じ収納部中で両者が混在していては、選別して取り出すことができなかった。
【０００３】
【発明が解決しようとする課題】
この発明は上記事情に鑑みて創案されたものであって、その主たる課題は、仕切壁が型くずれせず、収納部に収納された硬貨が上記仕切壁を介して隣接する収納部へ入り込んで混在するようなことがない硬貨用収納部構造を提供することにある。
【０００４】
【課題を解決するための手段】
上記課題を解決するために、請求項１の発明では、
厚み方向に対向する一対の周壁部と、該一対の周壁部の厚み方向で対向する端部間に固着されて側面を塞ぐ蛇腹状の側壁部を対向して一対に設けて、開口時に上部側が大きく扇状に拡大する収納部を有する硬貨用収納部構造において、
上記収納部を横幅方向の中途位置で仕切って硬貨用収納部を形成する蛇腹状の仕切壁を設け、
該仕切壁が、下部の折曲げ部分相互を一体的に固着して強度を高め、硬貨用収納部の底部との間に大きな隙間が生じないように形成されると共に、該仕切壁が折り目部分と重ならないように、折り目部分を除いた大きさの分割された芯材を内蔵して補強されてなる、という技術的手段を講じている。
【０００５】
請求項２の発明では、
前記仕切壁が、側壁部より強度を有すると共に、側壁部より多く折り返された蛇腹状に形成されている、という技術的手段を講じている。
【０００６】
【発明の実施の形態】
以下に、この発明の硬貨用収納部構造を財布に適用した場合の好適実施例について図面を参照しながら説明する。
この財布１は、二つ折り構造の財布からなっており、中央の折り曲げ部２に対して一方（図中左側）は図１に示すような筐体１ａとなって、開いた状態では一辺で連続すると共に三辺を連続的にファスナーＦで開閉する構造からなっている。
このファスナーＦを開いた筐体１ａ内部に、複数の硬貨用収納部３、３、・・を設けている。
【０００７】
一方、前記中央の折り曲げ部２に対して他方（図中右側）は図２に示すように２つ折りの扁平なポケット部１ｂとなって、開いた状態では一辺で連続してその全体に亘って形成された複数の紙幣類の収納部４、４、・・と、左右のそれぞれに縦向きまたは横向きに形成されたカード類の収納部５、５、・・と６、６、・・がそれぞれ形成された構造からなっている。
なお、７、７はポケット部１ｂを２つ折りして連結するためのスナップボタンである。
【０００８】
そして、前記筐体１ａは、図３で示すように、厚み方向（図中左右方向）の中央に袋状のポケット８を有し、該ポケット８の前後には、仕切壁１１によって収納部を左右（横幅方向）に二分して２つの硬貨用収納部３、３を厚み方向に前後一対に設けており、全部で４つの硬貨用収納部３を設けている。
【０００９】
この硬貨用収納部３は、厚み方向に対向する一対の周壁部１２、１２’と、該一対の周壁部１２、１２’の厚み方向で対向する端部間に固着されて側面を塞ぐ蛇腹状の（図示例では２つの折り込み部を有する）側壁部１３を対向して一対に形成し、開口時に上部側が大きく扇状に拡大する収納部を、前記仕切壁１１で横幅方向の中央で二分して形成されている。
図示例の場合、内側となる周壁部１２’、１２’間を１つの折り込み部を有する側壁部１３’で覆って、前記ポケット８が形成されている。
更に、図示例の場合は、厚み方向に連続する各側壁部１３、１３’は一連の蛇腹状に折り曲げられた皮革の生地を用いている。
【００１０】
これに対して、仕切壁１１は、側壁部１３より厚みがあって強度を有すると共に、側壁部１３より多く（図示例では４つに）折り返された蛇腹状に形成されている。
側壁部１３は上端を折り返して接着して縁取りした１枚の皮革からなるのに対して、仕切壁１１は同じ厚みの皮革を２つ折りして接着し折り返し部分１１ａが上縁部となるように配置している。
【００１１】
この仕切壁１１は、図４から図６で示すように、長手方向に多数（図示例では８つ）の折り目部分１１ｂを設けて蛇腹状に形成したものであって、２つ折りした中間には補強シートを芯材１４として固着（接着）して内蔵している。
この芯材１４には、可撓性と強度を有する紙、合成紙またはプラスチックシートなどが用いられる。
【００１２】
本実施例では、芯材１４は、仕切壁１１の８つの折り目部分１１ｂと重ならないように折り目部分を除いた大きさの９つの分割片からなって仕切壁１１の内部に固着（接着）されており、折り目部分１１ｂを屈曲しやすいようにしている。
この仕切壁１１は８つの折り目部分１１ｂが山折り、谷折りと交互に繰り返されて蛇腹状となっており、上記実施例では芯材１４を内蔵して仕切壁１１の強度を高めたが、この発明では仕切壁の素材の厚みを厚くし、あるいは強度のある素材を用いて強度を高めてもよい。
【００１３】
この仕切壁１１は屈曲して連接された９つの片からなっているが、その両端の片１１ｃ’、１１ｃ’は、周壁部１２に固着（縫合）２０して連設するので、図６に示すように上記両端の片１１ｃ’を除いた全ての片１１ｃの下部を相互に一体的に固着（縫合）２１して仕切壁の下部の強度を高めている。
【００１４】
前記仕切片１１の両端の片１１ｃ’はその端部が前後の周壁部１２の中央に固着（縫合）されて収納部を仕切っており、前述のように仕切壁部１１の下部が高い強度を有するため、仕切壁１１に指や硬貨の力が加わっても仕切壁１１の下端と硬貨用収納部３の底部３ａとの間の隙間が大きく変形することがなく、その隙間から硬貨が仕切壁１１を介して隣接する異なる硬貨用収納部３へ侵入することがなく、硬貨が混在することがない。
【００１５】
これにより、予め硬貨の種類毎に分類して、同一種類の硬貨を同一の硬貨用収納部３に収納すれば、本実施例では４種類の硬貨（例えば、１円、５円、１０円、１００円）を分類して収納することができ、使用に際しても、硬貨が混在することがなく取出しやすく、特に視覚障害者にとって有益である。
【００１６】
本実施例においては、三辺を連続的にファスナーＦで開閉する構造を例示したが、図示しないが２つ口あるいは３つ口の口金により開閉されるがま口構造であって、その内部に硬貨用収納部３を形成する構造であってもよい。
また、本実施例では財布１に用いた場合を示したが、バッグや鞄その他の物品に硬貨用収納部３を一体に設けた構成であってもよい。
【００１７】
更に、各硬貨用収納部３には、それぞれの硬貨用収納部を識別するために、図１に示す突子１５を設けて、硬貨を触らなくても、何の硬貨が収納されているのか視覚障害者に分かるようにしてもよい。
ここで突子１５の種類は問わないが、点字用の突子を用いることが好ましい。
その他、要するにこの発明の要旨を変更しない範囲で種々設計変更しうること勿論である。
【００１８】
【発明の効果】
以上説明したように、本発明によれば、仕切壁が型くずれせず、収納部に収納された硬貨が上記仕切壁を介して隣接する収納部へ入り込んで混在するようなことがないようにし、硬貨を取り出しやすくする。
特に視覚障害者においては、硬貨収納部毎に分類された硬貨の種類を信用して使用することができ、極めて利便性が高い。
【図面の簡単な説明】
【図１】財布の一方に筐体を設け、該筐体内に硬貨用収納部を設けた実施例を示す斜視図である。
【図２】財布の他方に２つ折りのポケット部を設けた本実施例の展開図である。
【図３】図１の筐体のファスナーを開いた状態の平面図である。
【図４】展開した仕切壁を示す正面図である。
【図５】（ａ）は仕切壁に芯材が内蔵された状態を説明する平面図、（ｂ）は仕切壁の下部の固着を示す底面図である。
【図６】硬貨用収納部の断面を示す図である。
【符号の説明】
１    財布
１ａ  筐体
１ｂ  扁平なポケット部
２    折り曲げ部
３    硬貨用収納部
４    紙幣類の収納部
５    カード類の収納部
６    カード類の収納部
７    スナップボタン
８    ポケット
１１    仕切壁
１１ａ  ２つ折りの折り返し部分
１１ｂ  蛇腹状の折り目部分
１１ｃ、１１ｃ’  仕切壁を構成する片
１２、１２’  周壁部
１３、１３’  側壁部
１４    芯材
１５    突子
【図１】
0004571737.tif 000002
【図２】
0004571737.tif 000003
【図３】
0004571737.tif 000004
【図４】
0004571737.tif 000005
【図５】
0004571737.tif 000006
【図６】
0004571737.tif 000007